(57)【要約】【課題】壁面材のロスを小さくできる壁埋込型キャビネットの配設構造を提供する。【解決手段】複数並設した間柱２の表面に亙って取り付けた壁面材３に開口４を設ける。伸縮自在の突っ張り具５を伸ばして隣接する間柱２間に架設する。壁に埋設するキャビネット１を上記突っ張り具５に支持させて上記開口４内に配設する。【選択図】        図１
2004324107.tif 000002
【特許請求の範囲】
【請求項１】
複数並設した間柱の表面に亙って取り付けた壁面材に開口を設け、伸縮自在の突っ張り具を伸ばして隣接する間柱間に架設し、壁に埋設するキャビネットを上記突っ張り具に支持させて上記開口内に配設したことを特徴とする壁埋込型キャビネットの配設構造。
【請求項２】
板状の取付下地材の裏面に設けた引掛フックを棒状の突っ張り具に引掛け、取付下地材の表面にキャビネットを取り付けたことを特徴とする請求項１記載の壁埋込型キャビネットの配設構造。
【請求項３】
キャビネットにカウンターを上下方向に回動自在に設けたことを特徴とする請求項１記載の壁埋込型キャビネットの配設構造。
【請求項４】
回動して垂直状態にしたカウンターを壁面に対して略面一状態にしてキャビネット内に収納したことを特徴とする請求項３記載の壁埋込型キャビネットの配設構造。
【発明の詳細な説明】
【０００１】
【発明の属する技術分野】
本発明は、壁に埋設される壁埋込型キャビネットの配設構造に関する発明である。
【０００２】
【従来の技術】
従来から、壁に壁埋込型キャビネット１を埋設配置させるには、石膏ボードなどの壁面材３を壊したりして壁面材３に開口４’を穿孔して壁面材３の裏方に立設した間柱２を外方に露出させ、図７（ａ）のように、隣接した間柱２間の寸法に長さ寸法を合わせた水平な横桟３０を開口４’から壁内に位置させ、隣接した間柱２間に略水平に架設し、この横桟３０にキャビネット１を取り付けたり、図７（ｂ）のように、上記隣接した間柱２の対向する側面にキャビネット１を直接取り付けたりして行われていた（たとえば、特許文献１参照）。なお、図７（ａ）の３’は開口４’にキャビネット１を配設した後に、開口４’とキャビネット１との隙間に新たに配設した壁面材である。
【０００３】
【特許文献１】
特開平１０−１９６２２４号公報
【０００４】
【発明が解決しようとする課題】
しかしながら、上記いずれの施工でも、隣接する間柱２間に位置した壁面材３をすべて壊したりして取り除く必要があるため、壁面材３の除去面積が大きくなって、壁面材３のロスが大きくなるといった問題が生じていた。
【０００５】
本発明は上記の点に鑑みてなされたものであり、壁面材のロスを小さくできる壁埋込型キャビネットの配設構造を提供することを課題とするものである。
【０００６】
【課題を解決するための手段】
上記課題を解決するために本発明に係る壁埋込型キャビネットの配設構造は、複数並設した間柱２の表面に亙って取り付けた壁面材３に開口４を設け、伸縮自在の突っ張り具５を伸ばして隣接する間柱２間に架設し、壁に埋設するキャビネット１を上記突っ張り具５に支持させて上記開口４内に配設したことを特徴とする。これによると、突っ張り具５を間柱２間に架設する際には、縮めた状態の突っ張り具５を壁面材３に穿孔したキャビネット１配設用の開口４から壁内に挿入し、その後突っ張り具５を伸ばして隣接する間柱２間に架設させるようにでき、つまり、壁面材３に穿孔する開口４は縮めた状態の突っ張り具５を挿入可能で且つキャビネット１を収容可能にする大きさに設定すればよく、従来のように間柱２間に亙る部位の壁面材３を全て除去するような大きな開口４’を形成する必要はなく、したがって、開口４の穿孔に伴う壁面材３のロスを小さくできるのである。
【０００７】
また、板状の取付下地材６の裏面に設けた引掛フック７を棒状の突っ張り具５に引掛け、取付下地材６の表面にキャビネット１を取り付けたことも好ましい。これによると、棒状の突っ張り具５にキャビネット１を取り付けるのに、キャビネット１との接触面積を多くとれる板状の取付下地材６を介して行え、キャビネット１の突っ張り具５への取り付けの容易化を図ることができる。また、取付下地材６を突っ張り具５に取り付けるには引掛フック７の突っ張り具５への引掛け係止で行え、キャビネット１の突っ張り具５への取付施工の施工性を向上できる。
【０００８】
また、キャビネット１にカウンター８を上下方向に回動自在に設けたことを特徴とする。これによると、必要なときにはカウンター８を水平状態にして壁から突出させ、不必要なときにはカウンター８を垂直状態にして壁内に収納でき、つまり、必要なときにのみカウンター８を壁から突出させつつも、不必要時のカウンター８によっては壁近傍の通行障害を発生させないようにでき、部屋の効率の良い空間利用を図ることができる。
【０００９】
また、回動して垂直状態にしたカウンター８を壁面に対して略面一状態にしてキャビネット内に収納したことを特徴とする。これによると、キャビネット１内に収納したカウンター８は壁面に対して略面一状態になるため、カウンター８収納時の壁埋込型キャビネット１の外観を向上できる。
【００１０】
【発明の実施の形態】
壁埋込型キャビネット１は壁内に埋設される薄型のキャビネットであり、本例では、上部に照明部９を有すると共に下部に収納部１２を有して構成したニッチキャビネットを例に挙げて説明する。具体的にこのキャビネット１は、図１，２に示すように、垂設した縦壁１ａを有し、この縦壁１ａの周縁部から前方に周壁１ｂを突設して主体が構成されている。詳しくは、照明部９は縦壁１ａの上部の照明器具１０を備えた中空函状の部位であり、収納部１２はキャビネット１の裏方に凹ませて収納空間を形成させた部位である。また、収納部１２の下端部位にはカウンター８が上下に回動自在に枢支されている。このカウンター８は、上方に回動させて垂直状態にすると収納部１２内に収容されるようになり（図２点線のカウンター８参照）、下方に回動させて水平状態にするとキャビネット１の下端の周壁１ｂ１上に載置されるかたちでキャビネット１から前方に突出されるようになる（図２実線のカウンター８参照）。また、キャビネット１の周壁１ｂの前端には全周に亙って外方に突出せるフランジ部１ｃが形成されている。
【００１１】
上記キャビネット１を壁に埋設するには、図３の突っ張り具５や、図５の取付下地材６が用いられる。突っ張り具５は、長手方向に伸縮自在な棒材であり、詳しくは、長手方向の中央位置に配置した筒部１４と長手方向の両端位置に配置した一対のボルト部１５とを有し、筒部１４の内周に刻設しためねじに筒部１４の両側から両ボルト部１５を逆ネジの関係で螺合させて構成されており、筒部１４に対して各ボルト部１５を螺進させて突没させることで長手方向に伸縮自在にされている。なお、ボルト部１５の先端には先端程尖ると共に間柱２に食い込ませ得る刃１６ａを備えた打込部１６が形成されている。また、取付下地材６は、縦片部１７と該縦片部１７の下端から表面側に突出した横片部１８とで構成された側面視Ｌ字状の板材であり、縦片部１７の裏面に突っ張り具５に上方から引掛ける引掛フック７が設けられると共に、後述する固定具２０を螺入させるねじ孔２１が複数箇所に穿孔されている。本例では引掛フック７は、縦片部１７の裏面の上部及び下部位置における左右の部位の計４ヵ所の位置に設けられている。なお、左右に位置する１対の引掛フック７は水平な位置関係を有するようにされている。また、引掛フック７は、突っ張り具５に上方から被せて引掛け得るように下方に開いた逆Ｕ字状のフックであるが、その下縁には開き幅を大にするガイド部７ａが形成されており、このガイド部７ａにて引掛フック７に突っ張り具５を引掛け易くさせている。また、壁は、所定の間隔を隔てて複数の間柱２を立設し、これら間柱２の表面に石膏ボードなどの壁面材３を沿わせて固定したことで形成されている。
【００１２】
図１，２には上記キャビネット１の壁への配設構造を示す。キャビネット１は壁面材３に穿孔した開口４に嵌め込むようにして壁内に埋設されているが、詳しくは、間隔を隔てて立設した間柱２間に適宜上下に間隔を隔てて２本の突っ張り具５を略水平に架設し、引掛フック７によって取付下地材６を各突っ張り具５に上方から引掛けて吊持し、ビス等の固定具２０を介してキャビネット１を取付下地材６に固定することで行われている。
【００１３】
ここで、隣接する間柱２間への突っ張り具５の架設（図４）は、まず、壁面材３に穿孔した開口４から縮めた状態の突っ張り具５を壁内の間柱２間に挿入し、次いで、突っ張り具５をその長手方向に伸ばしてボルト部１５の先端の打込部１６を隣接する間柱２の対向する側面にそれぞれ打入させることで行われている。ここで、本例における壁面材３に穿孔する開口４は、少なくともキャビネット１が収容可能で且つ縮めた状態の突っ張り具５が挿入可能な大きさに形成できるものである。しかして、従来のように間柱２間に亙る部位の壁面材３全てを除去するような大きな開口４’を形成する必要はなく、壁面材３のロスを小さく抑えることが可能にされている。また、突っ張り具５の間柱２間への架設は打込部１６の間柱２への打入により行われているので、突っ張り具５の間柱２間への架設に高い強度を備えるようにされている。なお、この打込部１６の間柱２への打入作業にあっては、打込部１６を軽く間柱２に打入させた状態で所定の方向に筒部１４を廻すといった簡単な作業で行い得るものであり、更に言うと、突っ張り具５の長手方向の中央に位置する筒部１４は、突っ張り具５を壁内に挿入した際には開口４に臨む位置に位置され易いものであるから、筒部１４を廻す作業は上記開口４から壁内に挿入した手によって容易に行い得るものである。
【００１４】
また、上記キャビネット１の壁への配設構造にあっては、キャビネット１の突っ張り具５への取り付けは取付下地材６を介して行われるようにされているが、これによると、突っ張り具５が棒状であっても板状の取付下地材６がキャビネット１との接触面積を大きくとれるようにされているから、様々な形状のキャビネット１の突っ張り具５への取り付けを容易且つ安定的に行わせることが可能にされている。更に言うと、本例では、キャビネット１の取付下地材６への固定にあっては、キャビネット１の縦壁１ａを取付下地材６の縦片部１７の表面側に沿わせると共にキャビネット１の下端の周壁１ｂ１を取付下地材６の横片部１８の上に載置するかたちで行われているから、キャビネット１を取付下地材６の全体で有効に支持できるようにされている。また、取付下地材６は上下左右の４ヵ所の引掛フック７よって突っ張り具５に吊持させているので、取付下地材６の突っ張り具５への吊持が簡単な作業で且つ安定的に行い得るようにされている。
【００１５】
また、上記キャビネット１の壁への配設構造にあっては、壁面材３の開口４の縁部分をフランジ部１ｃが壁の表面から覆うようにされている。これによると、開口４がキャビネット１より大きく形成されてキャビネット１と開口４との間に隙間ができた場合や、壁面材３への開口４の穿孔作業の際に開口４縁の部位でクロスなどの壁紙がめくれてしまった場合でも、フランジ部１ｃによって上記隙間や壁紙がめくれた部分を隠すようにできることから、収まり良く壁にキャビネット１を配設でき、つまり、壁に配設したキャビネット１の良好な外観が確保されているのである。更に言うと、開口４の縁部分で生じ易い壁紙のめくれをフランジ部１ｃによって隠すことができたことは、壁面材３の表面に新たな壁紙を貼り替える必要もなくなり、キャビネット１の壁への配設施工の施工性の向上、ひいては該施工のコストの低減化をも図ることができるといった利点も有している。
【００１６】
また、上記キャビネット１には回転自在にカウンター８を設けているが、このカウンター８は必要時にのみ使用できる状態にして不必要時には壁内に収納することができるので、不必要時のカウンター８が通行の障害とならないようにでき、壁にキャビネット１を埋設することで得られた部屋の効率の良い空間利用を増長できる利点も有している。なお、本例では、キャビネット１から略水平に突出させた状態のカウンター８はキャビネット１の下端の周壁１ｂ１上に載置されているから、突出したカウンター８に上方から荷重をかけてもこの荷重はキャビネット１にて有効に支持できるようにされている。つまりカウンター８の耐荷重性能の向上が図られている。これは特に、図６のようにカウンター８の突出量が大きい場合など、カウンター８に大きなモーメントがかかる場合に有効である。なお、図６のキャビネット１では、キャビネット１内に収納したカウンター８が壁面に対して略面一状態にされており、カウンター８収納時のキャビネット１の外観の向上も図られている。なお、カウンター８の上面には耐汚染シートを被着してカウンター８の汚れ付着を防止してもよく、また、キャビネット１には、コンセント等の配電器具や、ワンプッシュ釦１９を利用した照明器具１０のスイッチや伝言機能などの各種の装置を備えてもよい。
【００１７】
なお、上記説明ではキャビネット１の側縁にフランジ部１ｃを設けたものを説明したが、フランジ部１ｃがないキャビネット１を代わりに用いてもよく、この場合でも開口４にキャビネット１を配設したときには、少なくとも壁面材３の開口４の端面はキャビネット１の側壁１ｂで隠すことができるから、キャビネット１を壁に埋設した状態の外観には一定の外観向上効果が期待できるのである。
【００１８】
【発明の効果】
上記のように本発明の請求項１記載の発明にあっては、複数並設した間柱の表面に亙って取り付けた壁面材に開口を設け、伸縮自在の突っ張り具を伸ばして隣接する間柱間に架設し、壁に埋設するキャビネットを上記突っ張り具に支持させて上記開口内に配設したので、突っ張り具を間柱間に架設する際には、縮めた状態の突っ張り具を壁面材に穿孔したキャビネット配設用の開口から壁内に挿入し、その後突っ張り具を伸ばして隣接する間柱間に架設させるようにでき、つまり、壁面材に穿孔する開口は縮めた状態の突っ張り具を挿入可能で且つキャビネットを収容可能にする大きさに設定すればよく、従来のように間柱間に亙る部位の壁面材を全て除去するような大きな開口を形成する必要はなく、したがって、開口の穿孔に伴う壁面材のロスを小さくできるのである。
【００１９】
また、請求項２記載の発明にあっては、請求項１の効果に加え、板状の取付下地材の裏面に設けた引掛フックを棒状の突っ張り具に引掛け、取付下地材の表面にキャビネットを取り付けたので、棒状の突っ張り具にキャビネットを取り付けるのに、キャビネットとの接触面積を多くとれる板状の取付下地材を介して行えるから、キャビネットの突っ張り具への取り付け容易化を図ることができ、また、取付下地材を突っ張り具に取り付けるには引掛フックの突っ張り具への引掛け係止で行えるから、キャビネットの突っ張り具への取付施工の施工性を向上できる。
【００２０】
また、請求項３記載の発明にあっては、請求項１の効果に加え、キャビネットにカウンターを上下方向に回動自在に設けたので、必要なときにはカウンターを水平状態にして壁から突出させると共に不必要なときにはカウンターを垂直状態にして壁内に収納でき、つまり、必要なときにのみカウンターをキャビネットから突出させつつも、不必要時のカウンターによっては壁近傍の通行障害を発生させないようにでき、部屋の効率の良い空間利用を図ることができる。
【００２１】
また、請求項４記載の発明にあっては、請求項３の効果に加え、回動して垂直状態にしたカウンターを壁面に対して略面一状態にしてキャビネット内に収納したので、カウンター収納時の壁埋込型キャビネットの外観を向上できる。
【図面の簡単な説明】
【図１】本発明の実施の形態の例を示す壁内（裏方）からの断面斜視図である。
【図２】（ａ）は同上の正面図であり、（ｂ）は側面断面図である。
【図３】同上の突っ張り具を示す分解斜視図である。
【図４】同上の突っ張り具を間柱に架設した状態を示す正面図である。
【図５】同上の間柱に架設した突っ張り具に取付下地材を吊持させた状態であり、（ａ）は裏面図であり、（ｂ）は側面断面図である。
【図６】本発明の実施の形態の他例であり、（ａ）は正面図であり、（ｂ）は側面断面図である。
【図７】（ａ）は従来技術の一例の上面断面図であり、（ｂ）は従来技術の他例の上面断面図である。
【符号の説明】
１  キャビネット
２  間柱
３  壁面材
４  開口
５  突っ張り具
６  取付下地材
７  引掛フック
８  カウンター
１６  打込部
【図１】
2004324107.tif 000003
【図２】
2004324107.tif 000004
【図３】
2004324107.tif 000005
【図４】
2004324107.tif 000006
【図５】
2004324107.tif 000007
【図６】
2004324107.tif 000008
【図７】
2004324107.tif 000009